(57)【特許請求の範囲】
【請求項１】
複数の走査電極と複数の信号電極とが電気光学物質を挟持するとともに互いに交差して配置されてなる電気光学装置に用いられ、前記複数の走査電極を所定本数毎に分割して複数の走査電極グループを作り、ある走査電極グループを１フレーム期間内に複数回選択し、当該選択において基準電位を中心電位として正極性選択電圧または負極性選択電圧を予め定められた複数の走査パターンからなる走査パターン群に従って当該走査電極グループに属する各走査電極に印加する一方、前記走査電極グループに属する各走査電極との交差に対応する複数の画素をオン表示またはオフ表示するかを示す表示パターンと前記走査パターンとを比較し、前記表示パターンの各要素と前記走査パターンの各要素の不一致数に基づいて、予め定められた複数の電圧の中から選択したものを前記信号電極の各々に印加する電気光学装置の駆動方法であって、
２種類の走査パターン群を予め定められた周期で交互に用いて、前記各走査電極に電圧を印加するとともに前記各信号電極に電圧を印加し、
一方の走査パターン群は、他方の走査パターン群のある走査電極に対応する各要素を反転したものであることを特徴とする電気光学装置の駆動方法。
【請求項２】
前記一方の走査パターン群を前記走査電極グループの一部に適用する一方、前記他方の走査パターン群を他の走査電極グループに適用することを特徴とする請求項１に記載の電気光学装置の駆動方法。
【請求項３】
前記電気光学物質は液晶であり、
前記走査パターンの指示する極性の電圧と、前記走査パターンの指示する極性とは逆極性の電圧とを、予め定められた反転周期で前記走査電極に交互に印加し、
前記極性反転の１周期毎に、前記一方の走査パターン群と前記他方の走査パターン群を入れ替える
ことを特徴とする請求項２に記載の電気光学装置の駆動方法。
【請求項４】
前記反転周期は２フレーム周期であり、
ある２フレーム期間にあっては、隣接する前記走査電極グループの一方に前記一方の走査パターン群を、他方に前記他方の走査パターン群を適用し、
次の２フレーム期間にあっては、隣接する前記走査電極グループの一方に前記他方の走査パターン群を、他方に前記一方の走査パターン群を適用する
ことを特徴とする請求項３に記載の電気光学装置の駆動方法。
【請求項５】
前記他方の走査パターン群に属する各走査パターンおよび前記表示パターンと前記信号電極に印加すべき電圧との関係を予め記憶し、
前記一方の走査パターン群を適用する場合には、
前記他方の走査パターン群のうち反転させた各要素に対応する走査電極に応じた表示データを反転させ、
反転させた表示データに基づいて前記表示パターンを生成し、生成された表示パターンと前記走査パターンとに基づいて、記憶内容を参照して前記信号電極に印加すべき電圧を決定する
ことを特徴とする請求項１に記載の電気光学装置の駆動方法。
【請求項６】
複数の走査電極と複数の信号電極とが電気光学物質を挟持するとともに互いに交差して配置されてなる電気光学装置に用いられ、
前記複数の走査電極を所定本数毎に分割して複数の走査電極グループを作り、ある走査電極グループを１フレーム期間内に複数回選択し、当該選択において基準電位を中心電位として正極性選択電圧または負極性選択電圧を予め定められた複数の走査パターンからなる走査パターン群に従って当該走査電極グループに属する各走査電極に印加する走査電極駆動回路と、
前記走査電極グループに属する各走査電極との交差に対応する複数の画素をオン表示またはオフ表示するかを示す表示パターンと前記走査パターンとを比較し、前記表示パターンの各要素と前記走査パターンの各要素の不一致数に基づいて、予め定められた複数の電圧の中から選択したものを前記信号電極の各々に印加する信号電極駆動回路と
を有する電気光学装置の駆動回路であって、
前記走査電極駆動回路および前記信号電極回路とは、２種類の走査パターン群を予め定められた周期で交互に用い、
一方の走査パターン群が、他方の走査パターン群のある走査電極に対応する各要素を反転したものである
ことを特徴とする電気光学装置の駆動回路。
【請求項７】
前記信号電極駆動回路は、
前記他方の走査パターン群を用いるとき、前記複数の画素のオン表示およびオフ表示を反転させるデータ制御部と、
前記一方の走査パターン群および表示パターンと、前記信号電極に印加すべき電圧を選択するための選択データとを対応付けて記憶した記憶手段とを有し、
前記他方の走査パターン群を用いる場合であっても、前記一方の走査パターン群および反転した表示パターンとに基づいて前記記憶手段から選択データを読み出すとともに、読み出した選択データに応じた電圧を信号電極に印加する
ことを特徴とする請求項６に記載の電気光学装置の駆動回路。
【請求項８】
複数の走査電極と複数の信号電極とが電気光学物質を狭持するとともに互いに交差して配置されてなる電気光学パネルと、
前記電気光学パネルを駆動するとともに、前記複数の走査電極を所定本数毎に分割して複数の走査電極グループを作り、ある走査電極グループを１フレーム期間内に複数回選択し、当該選択において基準電圧を中心電位として正極性選択電圧または負極性選択電圧を予め定められた複数の走査パターンからなる走査パターン群に従って当該走査電極グループに属する各走査電極に印加する走査電極駆動回路と、
前記走査電極グループに属する各走査電極との交差に対応する複数の画素をオン表示またはオフ表示するかを示す表示パターンと前記走査パターンとを比較し、前記表示パターンの各要素と前記走査パターンの各要素の不一致数に基づいて、予め定められた複数の電圧の中から選択したものを前記信号電極の各々に印加する信号電極駆動回路と
を有する電気光学装置であって、
前記走査電極駆動回路および前記信号電極回路とは、２種類の走査パターン群を予め定められた周期で交互に用い、
一方の走査パターン群が、他方の走査パターン群のある走査電極に対応する各要素を反転したものである
ことを特徴とする電気光学装置。
【請求項９】
前記信号電極駆動回路は、
前記他方の走査パターン群を用いるとき、前記複数の画素のオン表示およびオフ表示を反転させるデータ制御部と、
前記一方の走査パターン群および表示パターンと、前記信号電極に印加すべき電圧を選択するための選択データとを対応付けて記憶した記憶手段とを有し、
前記他方の走査パターン群を用いる場合であっても、前記一方の走査パターン群および反転した表示パターンとに基づいて前記記憶手段から選択データを読み出すとともに、読み出した選択データに応じた電圧を信号電極に印加する
ことを特徴とする請求項８に記載の電気光学装置。
【請求項１０】
請求項８または９に記載の電気光学装置を備えたことを特徴とする電子機器。
【発明の詳細な説明】
【０００１】
【発明の属する技術分野】
本発明は、輝度ムラの少ない状態で表示が可能な電気光学装置、その駆動方法、電気光学装置の駆動回路および電子機器に関する。
【０００２】
【従来の技術】
一般に、パッシブマトリクス型の液晶装置は、一方の基板に複数の走査電極を形成し、他方の基板に複数の信号電極を形成し、さらに、これら両基板の間に電気光学材料として液晶を挟持して構成されている。各画素は、走査電極と信号電極との交差に対応してマトリックス状に配置されることになる。そして、各画素の階調は、走査電極と信号電極との間の電位差に応じて定まることになる。
【０００３】
さて、このような構成において、複数本の走査電極を同時に選択し、かつ、その選択期間を１フレームにおいて複数回に分けて駆動するＭＬＳ（Ｍｕｌｔｉ−Ｌｉｎｅ  Ｓｅｌｅｃｔｉｏｎ）駆動法が知られている。ＭＬＳ駆動法によれば、ある画素に対しては、１フレームにおいて複数回に分けて選択電圧が印加されるので、１フレーム毎に１回だけ選択電圧を印加する方式と比較して、オン表示画素の輝度変化が抑えられる結果、コントラストの低下を防止する面において有効である。以下の説明では、１フレームを分割した期間をフィールドと呼ぶことにする。
【０００４】
ここで、４Ｓ本の走査電極を有する液晶パネルをＭＬＳ駆動法用いて駆動する場合を想定する。この例では、４本の走査電極を同時に選択するものとする。また、以下の説明では、同時に選択する走査電極の組を走査電極グループと称する。この場合、Ｓ個の走査電極グループＧ１、Ｇ２、…、ＧＳがある。さらに、各走査電極グループのうち第１番目の走査電極Ｙ１、Ｙ５、…、Ｙｋ＋１、…を第１走査電極Ｒ１と、各走査電極グループのうち第２番目の走査電極Ｙ２、Ｙ６、…、Ｙｋ＋２、…を第２走査電極Ｒ２と、各走査電極グループのうち第３番目の走査電極Ｙ３、Ｙ７、…、Ｙｋ＋３、…、を第３走査電極Ｒ３と、各走査電極グループのうち第４番目の走査電極Ｙ４、Ｙ８、…、Ｙｋ＋４、…、を第４走査電極Ｒ４と称することにする。
【０００５】
ＭＬＳ駆動法では、基準電圧ＶＣを基準として正極性の＋Ｖ３または負極性の−Ｖ３のうちいづれか一方を選択して走査電極に印加する。そして、１フレームを第１フィールドｆ１、第２フィールドｆ２、第３フィールドｆ３、および第４フィールドに分割して、各フィールド毎に走査電極グループを順次選択する。
【０００６】
図１８は、ＭＬＳ駆動法における走査電極電圧の極性を示す説明図である。同図において「＋１」は走査電極電圧として＋Ｖ３を選択すること、「−１」は走査電極電圧として−Ｖ３を選択することを意味する。また、同時に選択する第１〜第４走査電極Ｒ１〜Ｒ４に印加する選択電圧の極性の組を第１〜第４走査パターンＰ１〜Ｐ４と称し、走査パターンの組を走査パターン群と称することにする。図１８に示す例では、ある列が１つの走査パターンであり、第１列から第４列の組み合わせが走査パターン群である。例えば、第１〜第４フィールドｆ１〜ｆ４に第１〜第４走査パターンＰ１〜Ｐ４を順次用いるとすれば、第１走査電極Ｒ１に印加される電圧は、第１フィールドｆ１において＋Ｖ３、第２フィールドｆ２において＋Ｖ３、第３フィールドｆ３において−Ｖ３、第４フィールドｆ４において＋Ｖ３となる。
【０００７】
次に、信号電極電圧は、＋Ｖ２、−Ｖ２、＋Ｖ１、−Ｖ１、およびＶＣの中から選択する。＋Ｖ３、−Ｖ３、＋Ｖ２、−Ｖ２、＋Ｖ１、−Ｖ１、およびＶＣの電位関係は図１９に示す通りである。信号電極電圧は、走査パターンと表示データＤのパターン（以下、表示パターンと称する）の不一致数に基づいて選択される。ただし、ある画素に表示すべき表示データＤを「０」でオフ（黒）、「１」でオン（白）としたとき、「０」を「−１」に「１」を「＋１」に対応させる。
【０００８】
図２０は、信号電極電圧の選択例を示す説明図である。この例では、走査パターンと表示パターンの不一致数が「４」のとき信号電極電圧として＋Ｖ２を選択し、それらの不一致数が「３」のとき信号電極電圧として＋Ｖ１を選択し、それらの不一致数が「２」のとき信号電極電圧としてＶＣを選択し、それらの不一致数が「１」のとき信号電極電圧として−Ｖ１を選択し、それらの不一致数が「０」のとき信号電極電圧として−Ｖ２を選択する。
【０００９】
例えば、第１〜第４走査電極Ｒ１〜Ｒ４に対応する表示パターンが「−１、−１、−１、−１」であるものとする。第１走査パターンＰ１は「＋１、−１、＋１、＋１」であるから、不一致数は「３」となる。したがって、図２０に示すように表示パターンが「−１、−１、−１、−１」である場合には、信号電極電圧として＋Ｖ１が選択されることになる。
【００１０】
このように、同時に選択する走査電極電圧の極性が４つのうち１つだけ違う組合せとすると、例えば、ある信号電極上の画素が全オフのとき、信号電極電圧は図２１に示す波形Ｑ１となり、１フレーム期間の中に均一に＋Ｖ１が印加されることになる。一方、ある信号電極上の画素が全オンのとき、信号電極電圧は図２１に示す波形Ｑ２となり、１フレーム期間の中に均一に−Ｖ１が印加されることになる。
【００１１】
したがって、非選択期間において各画素に印加される電圧のバラツキがなくなる。つまり、同時に選択する走査電極電圧の極性が４つのうち１つだけ違う組合せとすると、通常の表示の中で一番多い白表示の中に黒い文字表示、あるいは、黒表示の中に白い文字表示において、信号電極電圧の変動を低減することが可能となる。
【００１２】
しかしながら、ＭＬＳ駆動法においては、走査パターンと表示パターンとの組み合わせに応じて、信号電極電圧を選択するから、特定の表示パターンでは、信号電極電圧があるパターンに固定される。図２２は、表示パターンの一例である。この例では、斜線を施した画素に黒を表示し、その他の画素には白を表示するものとし、右方向および下方向に図示する表示パターンが繰り返し表示されるものとする。また、信号電極電圧は図２０に示す表に従って選択されるものとする。
【００１３】
この場合、左から第１番目〜第４番目の列は、常に「白」を表示することになる。したがって、これらの列における表示パターンは常に「＋１、＋１、＋１、＋１」となるから、信号電極Ｘ１〜Ｘ４の各電圧は、必ず−Ｖ１となる。一方、左から第５番目〜第８目の列は、常に「白白白黒、黒黒黒白」を繰り返し表示することになる。したがって、これらの列におけるＧ１およびＧ３の表示パターンは常に「＋１、＋１、＋１、−１」となるから、信号電極Ｘ５〜Ｘ８の各電圧は、必ずＶＣまたは−Ｖ２となる。
【００１４】
また、これらの列におけるＧ２およびＧ４の表示パターンは常に「−１、−１、−１、＋１」となるから、信号電極Ｘ５〜Ｘ８の各電圧は、必ずＶＣまたは＋Ｖ２となる。すなわち、信号電極Ｘ１〜Ｘ４の各電圧は必ず−ＶＣとなる一方、信号電極Ｘ５〜Ｘ８の各電圧は、必ずＶＣまたは±Ｖ２となる。
【００１５】
ところで、信号電極は、液晶を介して走査電極と対向しているため、容量を有している。さらに、液晶は印加電圧に応じて容量が変化するという性質がある。このため、実際の信号電極の電圧波形は、急峻に立ち上がったり立ち下がることはできず、容量成分によって歪みを持つことになる。
【００１６】
電圧波形の歪みの程度は、電圧波形の周波数成分に応じて定まる。上述した例では、信号電極Ｘ１〜Ｘ４の各電圧は必ず−ＶＣとなるから、殆ど歪みはない。これに対して信号電極Ｘ５〜Ｘ８の各電圧は、ＶＣまたは＋Ｖ２となるから、信号電極Ｘ１〜Ｘ４の各電圧と比較して波形の歪みが大きくなる。各画素の輝度は、液晶に印加される電圧の実効値に応じて定まるから、歪みの少ない信号電極電圧によって駆動される画素と、歪みの大きい信号電極電圧によって駆動される画素では輝度が相違する。この例では、第１番目〜第４番目の列に表示される白と、第５番目〜第８番目の列に表示される白とでは、輝度が異なることになる。これにより、輝度ムラが４列毎に発生するのである。
【００１７】
以上、説明したようにＭＬＳ駆動法においては、特定の表示パターンでは、信号電極電圧があるパターンに固定されるため、輝度ムラが発生するといった問題があったが、これを解消する技術が特開平７−２８１６４５号公報に開示されている。この技術は、複数の走査パターンを順に選択して、信号電極の電圧波形の周波数成分に偏りがないようにするといったものである。上述したように信号電極にどの電圧を選択して印加するかは、表示パターンと走査パターンとに基づいて定まるから、表示パターンが固定であっても走査パターンを変更することによって、信号電極の電圧波形の周波数成分に偏りがないようにすることができるのである。
【００１８】
【発明が解決しようとする課題】
ところで、信号電極電圧の選択は、表示パターンと走査パターンに基づいて行う必要がある。このため、複数の走査パターンを切り替える場合には、処理回路が複雑になるといった問題がある。
このような処理回路としては、各信号電極に対応する複数のスイッチと、メモリとを備えるものがある。各スイッチは、選択データに基づいて複数の電圧の中から１つの電圧を選択して出力する。メモリは、表示パターンと走査パターンの組と、選択データとを対応付けて予め記憶している。このような構成では、走査パターンの数が２倍になれば、メモリの容量も２倍必要になる。
【００１９】
本発明は、以上説明した事情に鑑みてなされたものであり、簡易な構成で複数の走査パターン群を切り替えることが可能な電気光学装置の駆動方法、駆動回路、および電子機器を提供するものである。
【００２０】
【課題を解決するための手段】
上記課題を解決するため、本発明に係わる電気光学装置の駆動方法は、複数の走査電極と複数の信号電極とが電気光学物質を挟持するとともに互いに交差して配置されてなる電気光学装置に用いられ、前記複数の走査電極を所定本数毎に分割して複数の走査電極グループを作り、ある走査電極グループを１フレーム期間内に複数回選択し、当該選択において基準電位を中心電位として正極性選択電圧または負極性選択電圧を予め定められた複数の走査パターンからなる走査パターン群に従って当該走査電極グループに属する各走査電極に印加する一方、前記走査電極グループに属する各走査電極との交差に対応する複数の画素をオン表示またはオフ表示するかを示す表示パターンと前記走査パターンとを比較し、前記表示パターンの各要素と前記走査パターンの各要素の不一致数に基づいて、予め定められた複数の電圧の中から選択したものを前記信号電極の各々に印加する電気光学装置の駆動方法であって、２種類の走査パターン群を予め定められた周期で交互に用いて、前記各走査電極に電圧を印加するとともに前記各信号電極に電圧を印加し、一方の走査パターン群は、他方の走査パターン群のある走査電極に対応する各要素を反転したものであることを特徴とする。
【００２１】
この発明によれば、２種類の走査パターン群を用いて信号電極を駆動するから、信号電極電圧の周波数成分の偏りを無くすことができる。また、一方の走査パターン群は、他方の走査パターン群のある走査電極に対応する各要素を反転したものであるから、一方の走査パターン群に従って走査電極を駆動する場合に、各信号電極に印加すべき電圧は、表示パターンのうち当該走査電極に対応する要素を反転したものと他の走査パターン群に属する走査パターンとの不一致数に基づいて決定することが可能となる。
【００２２】
ここで、前記一方の走査パターン群を前記走査電極グループの一部に適用する一方、前記他方の走査パターン群を他の走査電極グループに適用することが望ましい。さらに、隣接する走査電極グループは、異なる走査パターン群を用いて駆動することが好ましい。この発明によれば、１フレーム内で走査パターン群を切り替えることになるから、信号電極電圧の周波数成分の偏りをより一層無くすことが可能となる。
【００２３】
また、前記電気光学物質は液晶であり、前記走査パターンの指示する極性の電圧と、前記走査パターンの指示する極性とは逆極性の電圧とを、予め定められた反転周期で前記走査電極に交互に印加し、前記極性反転の１周期毎に、前記一方の走査パターン群と前記他方の走査パターン群を入れ替えることが好ましい。特に、前記反転周期が２フレーム周期であるならば、ある２フレーム期間にあっては、隣接する前記走査電極グループの一方に前記一方の走査パターン群を、他方に前記他方の走査パターン群を適用し、次の２フレーム期間にあっては、隣接する前記走査電極グループの一方に前記他方の走査パターン群を、他方に前記一方の走査パターン群を適用することが好ましい。
【００２４】
電気光学物質たる液晶を交流駆動する場合に、走査電極に印加する電圧極性を所定の反転周期で反転する。ここで、信号電極に電圧を印加する回路の駆動能力が低い場合、走査パターン群の種類によって信号電極の電圧波形の歪みが相違することになる。したがって、１反転周期内で走査パターン群の切り替えを行うと、液晶に直流電圧が印加されることがある。そこで、上述した発明にあっては、反転周期内で走査電極グループと走査パターン群との対応関係を固定する一方、反転周期の１周期毎に走査電極グループと走査パターンとの対応関係を入れ替えたのである。
【００２５】
また、前記他方の走査パターン群に属する各走査パターンおよび前記表示パターンと前記信号電極に印加すべき電圧との関係を予め記憶し、前記一方の走査パターン群を適用する場合には、前記他方の走査パターン群のうち反転させた各要素に対応する走査電極に応じた表示データを反転させ、反転させた表示データに基づいて前記表示パターンを生成し、生成された表示パターンと前記走査パターンとに基づいて、記憶内容を参照して前記信号電極に印加すべき電圧を決定することが望ましい。
【００２６】
信号電極に印加する電圧は、走査パターンと表示パターンとの各要素を比較し、その不一致に基づいて決定される。また、表示パターンは表示データに基づいて定められる。したがって、一の走査パターン替わりに要素が異なる他の走査パターンを用いる場合には、異なる要素に対応する表示データを反転させ、これに基づいて生成した表示パターンと一の走査パターンとの不一致数に基づいて信号電極に印加する電圧を決定すればよい。上述した発明は、この点に鑑みてなされたものであり、他方の走査パターン群と信号電極に印加すべき電圧との関係を予め記憶し、一方の走査パターン群を適用する場合には、所定の表示データを反転して生成した表示パターンに基づいて、信号電極に印加すべき電圧を決定する。これにより、一方の走査パターン群と信号電極に印加すべき電圧との関係を予め記憶する必要がなくなるといった利点がある。
【００２７】
次に、本発明に係わる電気光学装置の駆動回路は、複数の走査電極と複数の信号電極とが電気光学物質を挟持するとともに互いに交差して配置されてなる電気光学装置に用いられ、前記複数の走査電極を所定本数毎に分割して複数の走査電極グループを作り、ある走査電極グループを１フレーム期間内に複数回選択し、当該選択において基準電位を中心電位として正極性選択電圧または負極性選択電圧を予め定められた複数の走査パターンからなる走査パターン群に従って当該走査電極グループに属する各走査電極に印加する走査電極駆動回路と、前記走査電極グループに属する各走査電極との交差に対応する複数の画素をオン表示またはオフ表示するかを示す表示パターンと前記走査パターンとを比較し、前記表示パターンの各要素と前記走査パターンの各要素の不一致数に基づいて、予め定められた複数の電圧の中から選択したものを前記信号電極の各々に印加する信号電極駆動回路とを有する電気光学装置の駆動回路であって、前記走査電極駆動回路および前記信号電極回路とは、２種類の走査パターン群を予め定められた周期で交互に用い、一方の走査パターン群が、他方の走査パターン群のある走査電極に対応する各要素を反転したものであることを特徴とする。
【００２９】
また、本発明に係わる電気光学装置の駆動回路において、前記信号電極駆動回路は、前記他方の走査パターン群を用いるとき、前記複数の画素のオン表示およびオフ表示を反転させるデータ制御部と、前記一方の走査パターン群および表示パターンと、前記信号電極に印加すべき電圧を選択するための選択データとを対応付けて記憶した記憶手段とを有し、前記他方の走査パターン群を用いる場合であっても、前記一方の走査パターン群および反転した表示パターンとに基づいて前記記憶手段から選択データを読み出すとともに、読み出した選択データに応じた電圧を信号電極に印加するものであっても良い。
【００３０】
また、本発明に係わる電気光学装置は、複数の走査電極と複数の信号電極とが電気光学物質を狭持するとともに互いに交差して配置されてなる電気光学パネルと、前記電気光学パネルを駆動するとともに、前記複数の走査電極を所定本数毎に分割して複数の走査電極グループを作り、ある走査電極グループを１フレーム期間内に複数回選択し、当該選択において基準電圧を中心電位として正極性選択電圧または負極性選択電圧を予め定められた複数の走査パターンからなる走査パターン群に従って当該走査電極グループに属する各走査電極に印加する走査電極駆動回路と、前記走査電極グループに属する各走査電極との交差に対応する複数の画素をオン表示またはオフ表示するかを示す表示パターンと前記走査パターンとを比較し、前記表示パターンの各要素と前記走査パターンの各要素の不一致数に基づいて、予め定められた複数の電圧の中から選択したものを前記信号電極の各々に印加する信号電極駆動回路とを有する電気光学装置であって、前記走査電極駆動回路および前記信号電極回路とは、２種類の走査パターン群を予め定められた周期で交互に用い、一方の走査パターン群が、他方の走査パターン群のある走査電極に対応する各要素を反転したものであることを特徴とする。
本発明に係わる電気光学装置において、前記信号電極駆動回路は、前記他方の走査パターン群を用いるとき、前記複数の画素のオン表示およびオフ表示を反転させるデータ制御部と、前記一方の走査パターン群および表示パターンと、前記信号電極に印加すべき電圧を選択するための選択データとを対応付けて記憶した記憶手段とを有し、前記他方の走査パターン群を用いる場合であっても、前記一方の走査パターン群および反転した表示パターンとに基づいて前記記憶手段から選択データを読み出すとともに、読み出した選択データに応じた電圧を信号電極に印加するものであっても良い。
さらに、本発明の電子機器は、上述した電気光学装置を備えることが好ましい。このような電子機器としては、例えば、テレビやモニタ等の各種ディスプレイ装置、携帯電話機やＰＤＡ等の通信機器、またはパーソナルコンピュータ等の情報処理装置などが該当する。
【００３３】
【発明の実施の形態】
以下、図面を参照して、本発明の実施形態について説明する。かかる実施の形態は、本発明の一態様を示すものであり、この発明を限定するものではなく、本発明の範囲内で任意に変更可能である。
【００３４】
以下、本発明の実施の形態について図面を参照して説明する。
＜駆動方法＞
はじめに、本発明の実施形態に係る電気光学装置について、電気光学材料に液晶を用いた液晶装置を例にとって説明する。図１は、液晶装置の走査電極と信号電極の機械的構成を示す説明図である。この図に示されるように、液晶装置である液晶パネル１００には、ｍ本の走査（コモン）電極Ｙ１〜Ｙｍが行方向に延在して形成される一方、ｎ本の信号（セグメント）電極Ｘ１〜Ｘｎが列方向に延在して形成されている。ここで、液晶パネル１００では、一対の基板のうち、一方の基板に走査電極Ｙ１〜Ｙｍが、他方の基板に信号電極Ｘ１〜Ｘｎがそれぞれ形成されるとともに、両基板の間に液晶が挟持された構成となっている。したがって、各画素は、走査電極Ｙ１〜Ｙｍと信号電極Ｘ１〜Ｘｎとの各交差部分において、両電極間とその間に挟持される液晶とにより構成されて、ｍ行ｎ列でマトリクス状に配列することになる。
【００３５】
なお、以下の説明では、ｍ＝８０、ｎ＝１６０とする。また、本実施形態では液晶パネル１００を４本の走査電極を同時に選択するＭＬＳ駆動法を用いて駆動する。走査電極Ｙ１〜Ｙ８０は２０の走査電極グループＧ１〜Ｇ２０に分割されることになる。さらに、各走査電極グループのうち第１番目の走査電極Ｙ１、Ｙ５、…、Ｙｋ＋１、…、Ｙ７７を第１走査電極Ｒ１と、各走査電極グループのうち第２番目の走査電極Ｙ２、Ｙ６、…、Ｙｋ＋２、…、Ｙ７８を第２走査電極Ｒ２と、各走査電極グループのうち第３番目の走査電極Ｙ３、Ｙ７、…、Ｙｋ＋３、…、Ｙ７３を第３走査電極Ｒ３と、各走査電極グループのうち第４番目の走査電極Ｙ４、Ｙ８、…、Ｙｋ＋４、…、Ｙ８０を第４走査電極Ｒ４と称する。
【００３６】
ところで、ＭＬＳ駆動法には、分散型駆動法と非分散型駆動法とがある。分散駆動法とは、あるフィールドにおいて各走査電極グループを順次選択し、次のフィールドでも同様に走査電極グループを順次選択し、これを繰り返して１フレームを完結するものである。図２は分散型駆動法におけるフレームとフィールドの関係を示すタイミングチャートである。この図に示すように、分散型駆動方法では、１フレーム１Ｆは、第１フィールドｆ１、第２フィールドｆ２、第３フィールドｆ４、および第４フィールドｆ４からなる。そして、各フィールドにおいて、走査電極グループＧ１〜Ｇ２０が順次選択される。
【００３７】
これに対して、非分散型駆動法とは、ある走査電極グループを選択している１回の期間に、第１〜第４走査パターンＰ１〜Ｐ４を切り替えて、次のタイミングにおいて次の走査電極グループを選択し、これを繰り返して１フレームを完結するものである。図３は非分散型駆動法におけるフレームとフィールドの関係を示すタイミングチャートである。この図に示すように非分散型駆動法では、走査電極グループＧ１〜Ｇ２０を選択する各期間が、第１〜第４フィールドｆ１〜ｆ４を含む。つまり、非分散型駆動法は、走査電極グループを一旦選択すると、当該フレームで行う第１〜第４走査パターンＰ１〜Ｐ４の切り替えを集約して実行するものである。本実施形態における駆動方法は、分散型駆動方法、非分散型駆動方法のいずれにも適用可能である。
【００３８】
各フィールドにおける走査電極の電圧極性は、走査パターン群に従って選ばれることになる。本実施形態にあっては、第１走査パターン群ＰＡと第２走査パターン群ＰＢとを周期的に入れ替える。この例の第１走査パターン群ＰＡは、図１８に示すものである。一方、第２走査パターン群ＰＢは、図４に示すものである。ここで、第１走査パターン群ＰＡと第２走査パターン群ＰＢとを比較すると、第２走査パターン群ＰＢは、第１走査パターン群ＰＡの第２番目の行において「＋１」を「−１」に、「−１」を「＋１」に置き換えたものとなっている。つまり、第１走査パターン群ＰＡと第２走査パターン群ＰＢでは、第２走査電極Ｒ２（Ｙ２、Ｙ６、…、Ｙｋ＋２、…、Ｙ７８）に印加される選択電圧の極性が反転することになる。
【００３９】
図５は、表示パターンと信号電極電圧の選択関係を示す説明図である。以下の説明では、信号電極電圧が±Ｖ１である波形パターンを第１群Ａ、信号電極電圧がＶＣまたは±Ｖ２である波形パターンを第２群Ｂと称することにする。ここで、図２０に示す第１走査パターン群ＰＡにおける信号電極電圧と図５に示す第２走査パターン群ＰＢにおける信号電極電圧とを比較すると、第１群Ａと第２群Ｂが相互に入れ代わっていることが判る。つまり、ある走査パターン群において、ある走査電極に対応した走査電極電圧の極性を反転させると、第１群Ａと第２群Ｂとが入れ替わる。したがって、第１走査パターン群ＰＡと第２走査パターン群ＰＢとを周期的に入れ代えることによって、信号電極電圧の偏りを無くすことができる。
【００４０】
ところで、信号電極電圧は、表示パターンと走査パターンとの不一致数に基づいて決定されるが、本実施形態では、表示パターンと信号電極電圧を選択するための選択データＤｓとを対応付けて記憶した不揮発性メモリ（後述する記憶回路１４０５）を用いる。そして、不揮発性メモリには、第１走査パターン群ＰＡに対応する選択データＤｓのみを記憶しておき、第２走査パターン群ＰＢに対応する選択データＤｓは記憶しておかないようにする。第２走査パターン群ＰＢを用いる場合には、第２走査電極Ｒ２に対応する表示データｄを反転し、これに基づいて、不揮発性メモリにアクセスすることにする。
【００４１】
反転した表示データｄを用いるのは、以下の理由による。信号電極電圧の選択は、表示パターンの白を「＋１」黒を「−１」とし、走査パターンの正極性を「＋１」負極性を「−１」としたとき、表示パターンと走査パターンの不一致数に基づいて定まる。ここで、第２走査パターン群ＰＢは、第２走査電極Ｒ２に対応する第１走査パターン群ＰＡの要素を反転させたものである（図４中で太枠で囲んだ要素を参照）。不一致数は、表示パターンの各要素と走査パターンの各要素を要素毎に比較して定めるから、走査パターンのある要素を反転させることは、表示パターンの対応する要素を反転させることと等価である。
【００４２】
この点について具体的に説明する。第１走査パターン群ＰＡにおける第１走査パターンＰ１は「＋１，−１，＋１，＋１」である。第２走査パターン群ＰＢは、第２走査電極Ｒ２に対応する第１走査パターン群ＰＡの要素を反転したものである。したがって、第２走査パターン群ＰＢにおける第１走査パターンＰ１は、「＋１，＋１，＋１，＋１」となっている。
【００４３】
ここで、表示パターンが「＋１，＋１，＋１，＋１」であるとする。この表示パターンと第２走査パターン群ＰＢの第１走査パターンＰ１とを比較すると、不一致数は「０」となる。
【００４４】
しかしながら、本実施形態では、第２走査パターン群ＰＢに対応した選択データを記憶していない。その替わりに表示パターン「＋１，＋１，＋１，＋１」のうち、第２走査電極Ｒ２に対応する要素を反転させる。つまり、「＋１，−１，＋１，＋１」と第１走査パターン群ＰＡにおける第１走査パターンＰ１「＋１，−１，＋１，＋１」を比較して不一致数「０」を得る。したがって、走査パターンのある要素を反転させることは、表示パターンの対応する要素を反転させることと等価である。
【００４５】
不揮発性メモリには、第１走査パターン群ＰＡにのみ対応する選択データを表示パターンに対応づけて記憶させておけばよいから、不揮発性メモリの容量を大幅に削減することが可能となる。
【００４６】
＜液晶装置の全体構成＞
次に、実施形態にかかわる液晶装置の全体構成を説明する。図６は、本実施形態における液晶装置の全体構成を示すブロック図である。なお、この液晶装置は非分散型駆動法を用いるものである。信号処理回路１１０は、信号電極駆動回路１４０に対しては、表示内容を規定する表示データｄを供給し、制御回路１２０に対しては、各種のタイミング信号を供給する。
【００４７】
また、電源回路１３０は、走査電極の印加電圧として用いられる±Ｖ３（選択電圧）、ＶＣ（非選択電圧）を生成して走査電極駆動回路１５０に供給するとともに、信号電極の印加電圧として用いられる±Ｖ２、±Ｖ１、ＶＣを生成して信号電極駆動回路１４０に供給するものである。なお、電圧ＶＣとは、データ信号として用いる電圧±Ｖ２、±Ｖ１の中間値電圧であって、極性の基準となる電圧である。このため、本実施形態において正極側とは電圧ＶＣよりも高位をいい、負極側とは電圧ＶＣよりも低位をいう。また、走査電極駆動回路１５０や、信号電極駆動回路１４０、制御回路１２０および電源回路１３０にあっては、集積化して１チップとして構成することが可能である。このように構成すると、液晶パネル１００の実装や回路規模の縮小の面などにおいて有利となる。
【００４８】
＜制御回路＞
次に、制御回路１２０について説明する。図７は、制御回路１２０の構成を示すブロック図であり、図８は、そのタイミングチャートである。図７に示すように制御回路１２０は、タイミング信号生成回路１２０１、第１カウンタ１２０２、第２カウンタ１２０３、第３カウンタ１２０４、反転制御信号生成回路１２０５および走査パターン制御信号生成回路１２０６を備える。
【００４９】
タイミング信号生成回路１２０１は、信号処理回路１１０から供給されるタイミング信号に基づいて表示データｄに同期した信号を生成する。生成される信号は、極性反転信号ＰＩ、ラッチパルスＬＰ、走査パルスｆＰ、およびフレームパルスＦＰである。極性反転信号ＰＩは、奇数フレームでローレベルとなる一方、偶数フレームでハイレベルとなる。極性反転信号ＰＩは、走査電極電圧および信号電極電圧の極性を１フレーム毎に反転させるために用いられる。
【００５０】
フレームパルスＦＰは、１フレーム周期のパルスであって、フレームの開始でアクティブとなる。ラッチパルスＬＰは、水平走査周期のパルスであって、１水平走査期間の開始でアクティブとなる。走査パルスｆＰは、走査電極グループの選択期間の開始でアクティブとなる。この例では、ある走査電極グループの選択期間は、４水平走査期間となる。したがって、走査パルスｆＰの１周期はラッチパルスＬＰの４倍の周期となる。本実施形態の液晶装置は、上述した非分散型駆動法を用いるので、ある走査電極グループを選択すると、当該選択期間において、第１〜第４走査パターンＰ１〜Ｐ４を連続して切り替える。つまり、１水平走査期間がフィールドに相当し各水平走査期間毎に走査パターンの切り替えを行う。
【００５１】
第１カウンタ１２０２は、ラッチパルスＬＰをカウントして、カウント結果を行アドレス信号ＡＤＲとして出力する。行アドレス信号ＡＤＲは１〜８０の値を取り得る。
第２カウンタ１２０３は２ビットのカウンタであって、フレームパルスＦＰをカウントし、カウント結果をフレーム番号信号ＦＮとして出力する。フレーム番号信号ＦＮは１〜４の値を取り、現在のフレームが、第何番目のフレームに該当するかを示す。
第３カウンタ１２０４は、走査パルスｆＰをカウントし、カウント結果を走査番号信号ｆＮとして出力する。走査番号信号ｆＮは１〜２０の値を取り、現在の選択期間が、第何番目の走査電極グループを選択するかを示す。
【００５２】
次に、反転制御信号生成回路１２０５は、フレーム番号信号ＦＮおよび行アドレス信号ＡＤＲに基づいて、反転制御信号ＣＴＬを生成する。反転制御信号ＣＴＬはハイレベルでアクティブとなり、アクティブ状態で表示データｄの反転を指示する。反転制御信号生成回路１２０５は、ＦＮの値が「１」または「２」の場合には、ＡＤＲの値を８で除算した余りが「６」の時、反転制御信号ＣＴＬをアクティブとし、余りが「６」以外の時、反転制御信号ＣＴＬを非アクティブとする。一方、反転制御信号生成回路１２０５は、ＦＮの値が「３」または「４」の場合には、ＡＤＲの値を８で除算した余りが「２」の時、反転制御信号ＣＴＬをアクティブとし、余りが「２」以外の時、反転制御信号ＣＴＬを非アクティブとする。これにより、反転制御信号ＣＴＬの信号波形は図９に示すものとなる。
【００５３】
この例では、第１および第２フレーム（ＦＮ＝１，２）において、走査番号信号ｆＮの値が偶数のときにのみ反転制御信号ＣＴＬをアクティブとしてるが、その理由は、これらのフレームにおいては、走査番号信号ｆＮの値が奇数のとき第１走査パターン群ＰＡを適用する一方、その値が偶数のとき第２走査パターン群ＰＢを適用するからである。また、第３および第４フレーム（ＦＮ＝３，４）において、走査番号信号ｆＮの値が奇数のときにのみ反転制御信号ＣＴＬをアクティブとしているのは同様の理由による。
【００５４】
次に、走査パターン制御信号生成回路１２０６は、フレーム番号信号ＦＮ、走査番号信号ｆＮ、およびラッチパルスＬＰに基づいて、走査パターン制御信号ＰＳを生成する。走査パターン制御信号ＰＳは、２ビットの信号であり、現在の走査パターンが第１〜第４走査パターンＰ１〜Ｐ４のうちいずれであるかを指示する。
【００５５】
図１０は、走査パターン制御信号生成回路１２０６の動作を示すタイミングチャートである。走査パターンのシーケンスは、以下のように定められている。第１に、各走査電極グループの選択期間毎に第１走査パターン群ＰＡと第２走査パターン群ＰＢとを入れ替える。この例では、第１フレーム（ＦＮ＝１）において、奇数番目の選択期間（ｆＮが奇数）は第１走査パターン群ＰＡとなっており、偶数番目の選択期間（ｆＮが偶数）は第２走査パターン群ＰＢとなっている。これにより、特定の絵柄であっても信号電極電圧が固定のパターンとなるのを防止することが可能となる。
【００５６】
第２に、極性反転の周期（２フレーム単位）で第１走査パターン群ＰＡと第２走査パターン群ＰＢとを入れ替える。この例では、第１および第２フレーム（ＦＮ＝１、２）において、奇数番目の選択期間（ｆＮが奇数）は第１走査パターン群ＰＡであり、偶数番目の選択期間（ｆＮが偶数）は第２走査パターン群ＰＢである。一方、第３および第４フレーム（ＦＮ＝３、４）において、奇数番目の選択期間（ｆＮが奇数）は第２走査パターン群ＰＢであり、偶数番目の選択期間（ｆＮが偶数）は第１走査パターン群ＰＡである。このように走査電極電圧の極性反転周期で第１走査パターン群ＰＡと第２走査パターン群ＰＢを入れ替えたのは、以下の理由による。まず、ある走査電極グループの走査パターン群は、固定化を回避するために第１走査パターン群ＰＡと第２走査パターン群ＰＢとを入れ替えることが好ましい。一方、走査電極電圧の極性反転周期内で第１走査パターン群ＰＡと第２走査パターン群ＰＢとを入れ替えると、液晶に印加される電圧の直流成分を完全にキャンセルすることができない可能性がある。そこで、走査電極電圧の極性反転周期で第１走査パターン群ＰＡと第２走査パターン群ＰＢを入れ替えたのである。
【００５７】
第３に、あるフレームにおいて、選択期間の切替時に走査パターンが連続するようにシーケンスを定める。例えば、第１フレーム（ＦＮ＝１）においては、奇数番目の選択期間の最後と偶数番目の選択期間の最初は、ともに第３走査パターンＰ３であり、偶数番目の選択期間の最後と奇数番目の選択期間の最初は、ともに第４走査パターンＰ４である。これにより、各種信号の反転回数をなるべく少なくして消費電力を低減することが可能となる。
【００５８】
＜信号電極駆動回路＞
次に、信号電極駆動回路１４０について説明する。図１１は、信号電極駆動回路１４０の構成を示すブロック図であり、図１２は、信号電極駆動回路１４０の各部の波形を示すタイミングチャートである。図１１に示すように信号電極駆動回路１４０は、データ制御部１４０１、第１〜第３データレジスタ１４０２〜１４０４、記憶回路１４０５、レベルシフタ１４０６、および選択回路１４０７を備える。
【００５９】
まず、データ制御部１４０１は、反転制御信号ＣＴＬがアクティブとなる期間において表示データｄを反転して、変換表示データｄ’を生成する。ここで、表示データｄおよび変換表示データｄ’は８ビットパラレル形式である。そして、表示データｄの各ビットが各画素をオン表示するか、オフ表示するかを指示する。つまり、１個の表示データｄは、８画素のオン表示・オフ表示を指示する。この例の信号電極は１６０本あるので、２０個の表示データｄによって、１本の走査電極（１ライン）に対応する各画素の表示状態が特定される。
【００６０】
次に、第１データレジスタ１４０２は、１ライン分の記憶容量を有しており、変換表示データｄ’をラッチパルスＬＰに従ってラッチして、データＤａに変換して出力する。データＤａは１６０ビットパラレル形式である。以下の説明では、各画素に対応するデータをｄｙ−ｘで表すことにする。但し、「ｙ」は走査電極を上から数えた場合の番号であり、「ｘ」は信号電極を左から数えた場合の番号である。
また、反転されたデータは、ｄｙ−ｘ’で表すことにする。
【００６１】
次に、第２データレジスタ１４０３は、４個のレジスタを有している。各レジスタは、１ライン分の記憶容量を各々備え、それらの各々に第１〜第４走査電極Ｒ１〜Ｒ４に対応するデータＤａが記憶される。これにより、データＤａの時間軸は４倍に伸張され、図１２に示すデータＤｂが第２データレジスタ１４０３から出力される。なお、図１２においてＤｂ１、Ｄｂ２、Ｄｂ３およびＤｂ４は、各レジスタの出力データを表す。
【００６２】
次に、第３データレジスタ１４０４は、４ビットの記憶容量を有するレジスタを１６０個備えている。レジスタの各ビットは、データＤｂ１〜Ｄｂ４に対応している。そして、第３データレジスタ１４０４は、データＤｂをラッチしてデータＤｃを出力する。したがって、データＤｃは、ある選択期間における表示パターンを表している。
【００６３】
次に、記憶回路１４０５は、１６０個の記憶ユニットＵａ１〜Ｕａ１６０を備え、表示パターンと走査パターンとの不一致数に基づいて信号電極に印加する電圧を特定するための回路として機能する。
記憶回路１４０５は、第１走査パターン群ＰＡに対応する選択データＤｓを記憶しているが、第２走査パターン群ＰＢに対応する選択データＤｓは記憶していない。１つの記憶ユニットＵａは１本の信号電極に対応している。各記憶ユニットＵａ１〜Ｕａ１６０は、極性反転信号ＰＩ、表示パターンおよび走査パターンと選択データＤｓとを対応付けて記憶している。この例の選択データＤｓは５ビットであり、いずれかのビットが「１」のとき、他のビットは「０」となる。この選択データＤｓによって、信号電極に印加すべき電圧が決定される。表示パターンはデータＤｃによって与えられ、走査パターンは走査パターン制御信号ＰＳによって与えられる。
【００６４】
走査電極電圧の極性が第２走査パターン群ＰＢに基づいて選択される場合には、信号電極電圧も第２走査パターン群ＰＢに基づいて選択する必要があるが、本実施形態の記憶回路１４０５は、第１走査パターン群ＰＡに対応する選択データＤｓのみしか記憶していない。ただし、第２走査パターン群ＰＢを適用する場合、表示パターンにはデータ制御部１４０１において反転された変換表示データｄ’が反映されている。これにより、記憶回路１４０５を用いて、第２走査パターン群ＰＢに対応する選択データＤｓを生成することができる。
【００６５】
次に、レベルシフタ１４０６は、１６０個のレベルシフトユニットＵｂ１〜Ｕｂ１６０を備え、小振幅の選択データをレベル変換して大振幅の選択制御信号として出力する。これによって、レベルシフタ１４０６より前段の回路を低電源電圧によって動作させることが可能となる。例えば、データ制御部１４０１から記憶回路１４０５までを３Ｖで動作させる一方、レベルシフタ１４０６の後段を１０Ｖで動作させることが可能となる。
【００６６】
次に、選択回路１４０７は、１６０個の選択ユニットＵｃ１〜Ｕｃ１６０を備える。各選択ユニットＵｃ１〜Ｕｃ１６０は、選択制御信号に基づいて±Ｖ２、±Ｖ１、およびＶＣから電圧を選択する。そして、各選択ユニットＵｃ１〜Ｕｃ１６０は、選択した電圧を信号電極電圧として各信号電極Ｘ１〜Ｘ１６０に印加する。
【００６７】
＜走査電極駆動回路＞
次に、走査電極駆動回路１５０について説明する。図１３は走査電極駆動回路１５０の構成を示すブロック図である。この図に示すように走査電極駆動回路１５０は、走査電極電圧生成回路１５０１、レベルシフタ１５０２、および選択回路１５０３を備える。
【００６８】
まず、走査電極電圧生成回路１５０１は、極性反転信号ＰＩ、走査パターン制御信号ＰＳ、および走査番号信号ｆＮに基づいて、走査電極電圧選択信号を生成する。走査電極電圧選択信号は、以下の規則に従って各走査電極に印加する電圧を指定するものである。
第１に、走査電極電圧選択信号は、走査番号信号ｆＮの指示する番号と一致する走査電極グループを選択し、当該走査電極グループに属する走査電極に対して選択電圧±Ｖ３を印加するように制御する一方、他の走査電極グループに属する走査電極に対して非選択電圧ＶＣを印加するように制御する。
第２に、走査電極電圧選択信号は、フレーム番号信号ＦＮと走査番号信号ｆＮに基づいて、第１走査パターン群ＰＡまたは第２走査パターン群ＰＢに従うかを特定する。走査パターン群の選択とフレーム番号および走査番号の関係は、図１０に示す通りである。
第３に、走査電極電圧選択信号は、走査パターン制御信号ＰＳおよび極性反転信号ＰＩに基づいて、第１〜第４走査電極Ｒ１〜Ｒ４に対して正極性選択電圧＋Ｖ３または負極性選択電圧−Ｖ３を印加するように制御する。なお、極性反転信号ＰＩがハイレベル（偶数フレーム）の場合には、選択電圧の極性を反転させることになる。
【００６９】
次に、レベルシフタ１５０２は、８０個のレベルシフトユニットＵｄ１〜Ｕｄ８０を備えており、走査電極電圧選択信号の信号レベルをシフトして選択回路１５０３に供給する。選択回路１５０３は、８０個の選択ユニットＵｅ１〜Ｕｅ８０を備えている。各選択ユニットＵｅ１〜Ｕｅ８０は、走査電極電圧選択信号に基づいて、±Ｖ３、ＶＣの中から電圧を選択する。そして、選択された電圧が走査電極電圧として各走査電極に印加される。
【００７０】
図１４は、第１〜第４走査電極Ｒ１〜Ｒ４に印加される電圧と、走査パターン、走査パターン群、走査番号信号ｆＮ、およびフレーム番号信号ＦＮの関係を示す説明図である。
【００７１】
＜液晶装置の動作＞
次に、本実施形態に係わる液晶装置の動作について説明する。図１５は、第１フレームおよび第２フレームにおける走査電極Ｙ１〜Ｙ８の電圧波形と信号電極Ｘ１〜Ｘ１６０の電圧波形との関係を示すタイミングチャートであり、図１６は、第３フレームおよび第４フレームにおける走査電極Ｙ１〜Ｙ８の電圧波形と信号電極Ｘ１〜Ｘ１６０の電圧波形との関係を示すタイミングチャートである。但し、この例では、全画素をオン表示（＋１）させるものとする。また、信号電極Ｘ１’〜Ｘ１６０’の電圧波形は、第１走査パターン群ＰＡのみを用いた場合における比較例である。
【００７２】
走査電極Ｙ１〜Ｙ４およびＹ５〜Ｙ８は、第１〜第４走査電極Ｒ１〜Ｒ４に各々相当する。このため、走査電極Ｙ１〜Ｙ８には、図１４に示す関係に従って、図１５および１６に示す電圧が印加される。例えば、第１フレーム（ＦＮ＝１）における最初の選択期間（ｆＮ＝１）において、走査電極グループＧ１が選択される。ここで期間Ｔ１において、各走査電極Ｙ１〜Ｙ４に印加される選択電圧の極性は、「＋１＋１＋１−１」となる。一方、表示パターンは「＋１＋１＋１＋１」であるから、不一致は「１」となる。不一致数が「１」の場合、信号電極電圧は「−Ｖ１」となるから、図１５に示すように各信号電極Ｘ１〜Ｘ１６０には「−Ｖ１」が印加されることになる。
【００７３】
次に、第１フレーム（ＦＮ＝１）における２番目の選択期間（ｆＮ＝２）において、走査電極グループＧ２が選択される。期間Ｔ２において各走査電極Ｙ５〜Ｙ８に印加される選択電圧の極性は、「−１−１＋１＋１」となる。一方、表示パターンは「＋１＋１＋１＋１」であるから、不一致は「２」となる。不一致数が「２」の場合、信号電極電圧は「ＶＣ」となるから、図１５に示すように各信号電極Ｘ１〜Ｘ１６０には「ＶＣ」が印加されることになる。
【００７４】
図１５および図１６に示すように、仮に、第１走査パターン群ＰＡのみを用いたとすると、信号電極Ｘ１’〜Ｘ１６０’の電圧波形は「−Ｖ１」または「＋Ｖ１」となる。これに対して、第１走査パターン群ＰＡと第２走査パターン群ＰＢを用いると、信号電極Ｘ１〜Ｘ１６０の電圧波形は複雑となり、周波成分の偏りを無くすことが可能となる。
なお、図２３に示すように、図４に示した第２走査パターン群ＰＢに代えて、例えば、走査パターンＰ２に代えて該走査パターンＰ２と反転関係にある走査パターンを含む走査パターン群ＰＢ１、及び第２走査電極Ｒ２のパターンと第３走査電極Ｒ３のパターンが入れ換えられている走査パターン群ＰＢ２のように、前記第２の走査パターン群ＰＢと行または列が反転された関係または入れ換えられた関係にある走査パターン群を用いることも可能である。
【００７５】
なお、上述した実施形態においては、第１走査パターン群ＰＡと第２走査パタ−ン群ＰＢとを切り替えるようにしたが、本発明はこれに限定されるものではなく、３種類以上の走査パターン群を切り替えるようにしてもよい。この場合においても、記憶回路１４０５には１種類の走査パターン群（基準走査パターン群と称する）に対応する選択データＤｓを記憶しておけばよい。そして、制御回路１２０において、予め定められた規則に従って、どの走査パターン群を適用するかを決定し、決定した走査パターン群と基準走査パターン群との各要素の相違に基づいて、反転制御信号ＣＴＬを生成すればよい。これにより、記憶回路１４０５をアクセスするのに用いる表示パターンに変換表示データｄ’を反映させることができる。
【００７６】
＜携帯電話＞
次に、上述した液晶装置を携帯電話に適用した例について説明する。図１７は、この携帯電話の構成を示す斜視図である。図において、携帯電話１３００は、複数の操作ボタン１３０２のほか、受話口１３０４、送話口１３０６とともに、上述した液晶パネル１００を備えるものである。この液晶パネル１００では、輝度輝度ムラのない表示が行われることとなる。
【００７７】
なお、本実施形態に係る表示装置を適用する電子機器としては、上述した携帯電話のほか、ページャ、時計、ＰＤＡ（個人向け情報端末）などが好適である。ただし、この他にも、液晶テレビや、ビューファインダ型、モニタ直視型のビデオテープレコーダ、カーナビゲーション装置、電卓、ワードプロセッサ、ワークステーション、テレビ電話、ＰＯＳ端末、タッチパネルを備えた機器等などにも適用可能である。
【００７８】
【発明の効果】
以上説明したように、本発明によれば、複数の走査パターン群を切り替えることによって、信号電極電圧の周波数成分の偏りを無くすことができ、さらに、簡易な構成で複数の走査パターン群を切り替えることが可能となる。
【図面の簡単な説明】
【図１】本発明の実施形態に係る液晶装置の走査電極と信号電極の機械的構成を示す説明図である。
【図２】分散型駆動法におけるフレームとフィールドの関係を示すタイミングチャートである。
【図３】非分散型駆動法におけるフレームとフィールドの関係を示すタイミングチャートである。
【図４】第２走査パターン群ＰＢの内容を示す説明図である。
【図５】表示パターンと信号電極電圧の選択関係を示す説明図である。
【図６】同液晶装置の全体構成を示すブロック図である。
【図７】制御回路１２０の構成を示すブロック図である。
【図８】制御回路１２０のタイミングチャートである。
【図９】反転制御信号ＣＴＬの信号波形を示すタイミングチャートである。
【図１０】走査パターン制御信号生成回路１２０６の動作を示すタイミングチャートである。
【図１１】信号電極駆動回路１４０の構成を示すブロック図である。
【図１２】信号電極駆動回路１４０の各部の波形を示すタイミングチャートである。
【図１３】走査電極駆動回路１５０の構成を示すブロック図である。
【図１４】第１〜第４走査電極Ｒ１〜Ｒ４に印加される電圧と、走査パターン、走査パターン群、走査番号信号ｆＮ、およびフレーム番号信号ＦＮの関係を示す説明図である。
【図１５】第１フレームおよび第２フレームにおける走査電極Ｙ１〜Ｙ８の電圧波形と信号電極Ｘ１〜Ｘ１６０の電圧波形との関係を示すタイミングチャートである。
【図１６】第３フレームおよび第４フレームにおける走査電極Ｙ１〜Ｙ８の電圧波形と信号電極Ｘ１〜Ｘ１６０の電圧波形との関係を示すタイミングチャートである。
【図１７】本発明に係る液晶装置を適用した電子機器の一例たる携帯電話機の構成を示す斜視図である。
【図１８】ＭＬＳ駆動法における走査電極電圧の極性を示す説明図である。
【図１９】＋Ｖ３、−Ｖ３、＋Ｖ２、−Ｖ２、＋Ｖ１、−Ｖ１、およびＶＣの電位関係を示す説明図である。
【図２０】信号電極電圧の選択例を示す説明図である。
【図２１】信号電極上の画素が全オフのとき、信号電極の電圧波形を示す波形図である。
【図２２】表示パターンの一例を示す説明図である。
【図２３】第２走査パターン群ＰＢの他の例を示す説明図である。
【符号の説明】
Ｘ１〜Ｘｎ……信号電極、Ｙ１〜Ｙｍ……走査電極、１２０……制御回路、１３０……電源回路、１４０……信号電極駆動回路、１５０……走査電極駆動回路、１４０１……データ制御部、１４０５……記憶回路、ＰＡ……第１走査パターン群、ＰＢ……第２走査パターン群、Ｒ１〜Ｒ４……第１〜第４走査電極、Ｐ１〜Ｐ４……第１〜第４走査パターン。
【図１】
0003632637.tif 000002
【図２】
0003632637.tif 000003
【図３】
0003632637.tif 000004
【図４】
0003632637.tif 000005
【図５】
0003632637.tif 000006
【図６】
0003632637.tif 000007
【図７】
0003632637.tif 000008
【図８】
0003632637.tif 000009
【図９】
0003632637.tif 000010
【図１０】
0003632637.tif 000011
【図１１】
0003632637.tif 000012
【図１２】
0003632637.tif 000013
【図１３】
0003632637.tif 000014
【図１４】
0003632637.tif 000015
【図１５】
0003632637.tif 000016
【図１６】
0003632637.tif 000017
【図１７】
0003632637.tif 000018
【図１８】
0003632637.tif 000019
【図１９】
0003632637.tif 000020
【図２０】
0003632637.tif 000021
【図２１】
0003632637.tif 000022
【図２２】
0003632637.tif 000023
【図２３】
0003632637.tif 000024